(57)【特許請求の範囲】
【請求項１】
交流電力を入力して所定の電圧に変換して、直流電力に変換する直流電源部と、
前記直流電源部に接続されて、前記直流電力を出力するプラス端子及びマイナス端子と、
電子機器に設定された第一の入力電圧値を検出する通信部と、
前記直流電源部の出力する直流電力の電圧を、前記通信部から入力した前記第一の入力電圧値に設定する制御部と、
前記プラス端子及び前記マイナス端子の端子間に並列に接続され、前記直流電力を平滑化するコンデンサーを有し、前記第一の入力電圧値に基づいて前記コンデンサーに蓄積された電荷を放電させる残存電圧処理部を備え、
前記プラス端子及び前記マイナス端子から電子機器が取外されて、他の電子機器が接続されたとき、
前記通信部は、他の電子機器に設定された第二の入力電圧値を受信し、
前記制御部は、前記直流電力の電圧を前記第二の入力電圧値に変更し、
前記残存電圧処理部は、前記第一の入力電圧値から前記第二の入力電圧値を減算した減算値に基づいて、前記コンデンサーに蓄積された電荷を放電し、
前記通信部が他の電子機器と通信ができないとき、
前記通信部は、前記第二の入力電圧値を最低電圧であると検出することを特徴とする直流電源装置。
【請求項２】
前記減算値が正の値のとき、
前記残存電圧処理部が、前記コンデンサーに蓄積された電荷を放電することを特徴とする請求項１に記載の直流電源装置。
【請求項３】
前記減算値が負の値のとき、
前記残存電圧処理部が、前記コンデンサーに蓄積された電荷を放電しないことを特徴とする請求項１に記載の直流電源装置。
【請求項４】
前記第一の入力電圧値、又は、前記第二の入力電圧値が最低電圧のとき、
前記残存電圧処理部が、前記コンデンサーに蓄積された電荷を放電することを特徴とする請求項１ないし３のいずれかに記載の直流電源装置。
【請求項５】
前記残存電圧処理部は、前記コンデンサーに並列に接続されたスイッチ部と抵抗の直列回路を有し、
前記スイッチ部をオンすることで、前記コンデンサーに蓄積された電荷を前記抵抗に放電することを特徴とする請求項１ないし４のいずれかに記載の直流電源装置。
【請求項６】
前記通信部は、前記残存電圧処理部に接続された２本の電圧ラインで、前記第一の入力電圧値及び前記第二の入力電圧値を高電圧、低電圧の組合せで出力し、
前記スイッチ部は、前記組合せでオン又はオフになることを特徴とする請求項５に記載の直流電源装置。
【請求項７】
二次電池と、
前記直流電源部の直流電力を前記二次電池に充電する充電回路と、
前記二次電池からの直流電力を電圧変換するＤＣ／ＤＣ変換回路を備え、
前記二次電池の出力電力で電子機器へ出力する場合、前記ＤＣ／ＤＣ変換回路は、前記二次電池からの直流電力の電圧を、前記通信部から入力した電子機器に設定された第一の入力電圧値に変換することを特徴とする請求項１ないし６のいずれかに記載の直流電源装置。
【発明の詳細な説明】
【技術分野】
【０００１】
本発明は、直流電力の出力電圧を電子機器に合わせて変更できる直流電源装置に関するもので、特に、電子機器の入力電圧値に基づいて直流電力を平滑化するコンデンサーに蓄積された電荷の放電を制御するものである。
【背景技術】
【０００２】
従来の直流電源装置は、ＵＳＢコネクタ等を介して電子機器へ直流電力を供給する。特許文献１に開示されているように、従来の直流電源装置は、電子機器に一定の電圧（５Ｖ）／一定の電流（例えば１．５Ａ）の直流電力を供給している。この直流電源装置は、円筒形電池からの出力をＤＣ／ＤＣコンバータにより５Ｖに変換して安定した直流電力を出力している。
【先行技術文献】
【特許文献】
【０００３】
【特許文献１】特開２００９−１３１０８９号公報
【発明の概要】
【０００４】
従来の直流電源装置は、一定の電圧（５Ｖ）／一定の電流（１．５Ａ）の直流電力を供給しているので、電子機器に内蔵する二次電池が大容量の場合充電時間が長いという課題があった。充電電流を２倍、３倍と増加させることは、充電ケーブルの劣化を招く可能性がある。そこで近年、大容量の二次電池を有する電子機器に設定された入力電圧値を５Ｖから９Ｖや１２Ｖに上昇させて急速充電を可能とする開発が行われている。しかし、この入力電圧値が９Ｖや、１２Ｖの電子機器に対して直流電源装置の５Ｖ充電では、出力電圧が低いため時間当たりの供給電力が小さく、電子機器に充分な電力を短時間で供給することができなかった。この課題を解消するためには、直流電源装置も直流電力の電圧を高くすることが望ましい。さらに、設定された入力電圧値が５Ｖ、９Ｖ、１２Ｖのいずれの電子機器にも充電できるように、直流電力の電圧を電子機器に合わせて変更できる直流電源装置が望ましい。
【０００５】
しかし、直流電源装置の出力電圧を変更可能にした場合、直流電源装置が高電圧の出力状態で電子機器の接続が取外された直後に、入力電圧値が低電圧、或いは、最低電圧に設定された他の電子機器を接続されたとき、直流電力を平滑化するコンデンサーに有する残存エネルギー（残存電荷）が他の電子機器の入力電圧値を超える場合がある。その状態で直流電源装置を入力電圧値の低い他の電子機器に接続すると他の電子機器は入力電圧値より高い電圧が入力されるため、損傷、破壊などの問題を生じさせる。
【０００６】
本発明は、直流電力の電圧を電子機器に合わせて変更可能にした直流電源装置で、さらに、直流電力の電圧を変更可能にした場合に生じる問題を解決した直流電源装置を提供することを目的とする。
【０００７】
本発明の直流電源装置は、交流電力を入力して所定の電圧に変換して、直流電力に変換する直流電源部と、前記直流電源部に接続されて、前記直流電力を出力するプラス端子及びマイナス端子と、電子機器に設定された第一の入力電圧値を検出する通信部と、前記直流電源部の出力する直流電力の電圧を、前記通信部から入力した前記第一の入力電圧値に出力電圧に設定する制御部と、前記プラス端子及び前記マイナス端子の端子間に並列に接続され、前記直流電力を平滑化するコンデンサーを有し、前記第一の入力電圧値に基づいて前記コンデンサーに蓄積された電荷を放電させる残存電圧処理部を備え、前記プラス端子及び前記マイナス端子から電子機器が取外されて、他の電子機器が接続されたとき、前記通信部は、他の電子機器に設定された第二の入力電圧値を受信し、前記制御部は、前記直流電力の電圧を前記第二の入力電圧値に変更し、前記残存電圧処理部は、前記第一の入力電圧値から前記第二の入力電圧値を減算した減算値に基づいて、前記コンデンサーに蓄積された電荷を放電し、前記通信部が他の電子機器と通信ができないとき、前記通信部は、前記第二の入力電圧値を最低電圧であると検出する。
【０００８】
上記構成により、電子機器が取外された直後に他の電子機器が接続されても、出力電圧を電子機器に設定された入力電圧に合わせるので、過電圧入力により、電子機器が電気的な損傷、破壊することを防止できる。また、通信の不具合があっても、電子機器に直流電力を供給することができ、接続された電子機器が電気的な損傷、破壊することを防止できる。
【００１１】
また、本発明の直流電源装置は、前記減算値が正の値のとき、前記残存電圧処理部が、前記コンデンサーに蓄積された電荷を放電する。
【００１２】
上記構成により、設定された入力電圧が電子機器より他の電子機器が低くても、接続された他の電子機器が電気的な損傷、破壊することを防止できる。
【００１３】
また、本発明の直流電源装置は、前記減算値が負の値のとき、前記残存電圧処理部が、前記コンデンサーに蓄積された電荷を放電しない。
【００１４】
上記構成により、設定された入力電圧が電子機器より他の電子機器が高いとき、コンデンサーは他の電子機器の設定された入力電圧より低い電圧であるので、接続された他の電子機器が、電気的な損傷、破壊することを防止できる。さらに、コンデンサーに蓄積されている電荷は、他の電子機器への直流電力の平滑化に活用することができる。
【００１５】
また、本発明の直流電源装置は、前記第一の入力電圧値、又は、前記第二の入力電圧値が最低電圧のとき、前記残存電圧処理部が、前記コンデンサーに蓄積された電荷を放電する。
【００１６】
上記構成により、直前に接続されている電子機器に設定された入力電圧に関係なく、速やかに放電して、接続された電子機器が電気的な損傷、破壊することを防止できる。
【００１９】
また、本発明の直流電源装置は、前記残存電圧処理部は、前記コンデンサーに並列に接続されたスイッチ部と抵抗の直列回路を有し、前記スイッチ部をオンすることで、前記コンデンサーに蓄積された電荷を前記抵抗に放電する。
【００２０】
上記構成により、コンデンサーに蓄積された電荷を速やかに放電して、接続された電子機器が電気的な損傷、破壊することを防止できる。
【００２１】
また、本発明の直流電源装置は、前記通信部は、前記残存電圧処理部に接続された２本の電圧ラインで、前記第一の入力電圧値及び前記第二の入力電圧値を高電圧、低電圧の組合せで出力し、前記スイッチ部は、前記組合せでオン又はオフになる。
【００２２】
上記構成により、簡単な回路で通信部から残存電圧処理部に通信を行うことができ、接続された電子機器が電気的な損傷、破壊することを防止できる。
【００２３】
また、本発明の直流電源装置は、二次電池と、前記直流電源部の直流電力を前記二次電池に充電する充電回路と、前記二次電池からの直流電力を電圧変換するＤＣ／ＤＣ変換回路を備え、前記二次電池の出力電力で電子機器へ出力する場合、前記ＤＣ／ＤＣ変換回路は、前記二次電池からの直流電力の電圧を、前記通信部から入力した電子機器に設定された第一の入力電圧値に変換する。
【００２４】
上記構成により、二次電池からの電力供給であっても、出力電圧を電子機器に設定された入力電圧に合わせるので、過電圧入力により、電子機器が電気的な損傷、破壊することを防止できる。
【００２５】
本発明において、出力端子に並列に接続され、直流電力を平滑化するコンデンサーに蓄積された電荷を放電させる残存電圧処理部を備えることにより、出力電圧を電子機器に合わせて、高電圧から低電圧、或いは、最低電圧に変更するとき、接続された電子機器が、過電圧入力により、電子機器が電気的な損傷、破壊することを防止できる。これにより、直流電力の電圧を電子機器に合わせて変更可能にし、さらに、直流電力の電圧を変更可能にした場合に生じる問題を解決することができる。
【図面の簡単な説明】
【００２６】
【図１】本発明の実施の形態の直流電源装置を示す回路ブロック図である。
【図２】本発明の実施の形態の直流電源装置における残存電圧処理回路１９の回路図である。
【図３】本発明の他の実施の形態の直流電源装置を示す回路ブロック図である。
【発明を実施するための形態】
【００２７】
本発明の実施例を、図を用いて詳細に説明する。図１は本発明の実施例を示す回路ブロック図で、スマートフォン、携帯電話、ゲーム機器等の二次電池を内蔵する電子機器３０と、電子機器３０に電力を供給する交流商用電力を直流電力に変換するＡＣアダプター等の直流電源装置１０とを示している。直流電源装置１０は、接続された電池や、内蔵する電池より直流電力を供給するパック電池であっても良い。
【００２８】
（直流電源装置１０）
直流電源装置１０は、ＡＣ電源４０からの交流商用電力を入力して、複数の電圧の直流電力に変換する直流電源部１１を備える。そして、直流電源部１１は、プラス端子＋、マイナス端子ＧＮＤから電気ケーブル２０を介して、電子機器３０に直流電力を供給する。
【００２９】
直流電源部１１は、ＡＣ電源４０から交流商用電力を入力する入力回路１２を備える。入力回路１２は、ＡＣ１００Ｖの商用電源に含まれる雑音を除去する入力フィルターと、入力された交流を直流に変換する整流回路を有している。
【００３０】
そして、直流電源部１１は、入力回路１２からの交流を所定の電圧に変換する変換トランス１３と、変換トランス１３の交流出力を整流して直流に変換する整流回路１４とを備えている。整流回路１４には、雑音を除去する出力フィルターが含まれる。また、入力回路１２の整流回路の直流を高周波の交流に変換するスイッチング部１５と、スイッチング部１５のスイッチング素子をＰＷＭ制御して直流出力を制御するフィードバック回路１６を備える。
【００３１】
さらに、直流電源部１１は、整流回路１４からの出力電圧と、電子機器３０とのインターフェース回路である通信部１８からの入力信号に基づく電子機器３０の設定された入力電圧値とを検出し、出力電圧の制御を行う２次側の制御回路１７を備える。制御回路１７は、整流回路１４からの出力電圧と電子機器３０の入力電圧値の検出結果により、フィードバック回路１６を制御する制御信号を出力する。制御回路１７の制御信号により、直流電源部１１は、直流電力の出力電圧を電子機器３０に設定された入力電圧値に設定する。
【００３２】
（電気ケーブル２０）
電気ケーブル２０は、電子機器３０と接続されるＵＳＢコネクタ等のコネクタ２１を備え、コネクタ２１はプラス入力端子＋、マイナス入力端子−に加え、通信部１８と通信する通信端子Ｄ＋、通信端子Ｄ−とを有している。
【００３３】
（電子機器３０）
電子機器３０は、コネクタ２１の各端子と接続される入力部３１を備えている。入力部３１は、二次電池３２の充電を制御する充電回路や、入力電力を二次電池３２又は負荷３４に供給する切替回路を有している。負荷３４は、電子機器３０を制御するプロセッサ、液晶ディスプレイ（ＬＣＤ）、メモリ等で、ＤＣ／ＤＣ変換回路３３を介して電力が供給される。
【００３４】
入力部３１は、充電制御機能を有しており、リチウムイオン電池である二次電池３２の最大充電電圧を約４．２Ｖに制限した定電圧定電流方式を行うため、入力した電圧を二次電池３２への充電電圧として４．２Ｖ以下に制御している。入力部３１は、入力電圧値（５Ｖ、９Ｖ，１２Ｖ）を４．２Ｖ以下に降圧した比率分、充電電流を増大させて入力電力を維持している。よって、入力電圧値が９Ｖ、１２Ｖのときは、入力電力値が５Ｖのときに比べて、電圧を低減して、電流値をその比率分大きくすることができるので、急速に充電することができる。
【００３５】
また、入力部３１は、通信端子Ｄ＋、通信端子Ｄ−へ信号を出力する通信回路も備えている。入力部３１の通信回路は、電子機器３０に設定された入力電圧値に対応した信号を出力する。
【００３６】
（電子機器３０から直流電源装置１０への通信）
直流電源装置１０は、コネクタ２１の通信端子Ｄ＋、通信端子Ｄ−から電子機器３０の入力電圧値の信号を通信部１８で入力し、検出する。例えば、電子機器３０に設定された入力電圧値が５Ｖ、９Ｖ、１２Ｖのいずれかの場合、通信部１８は電子機器３０に設定された入力電圧値が５Ｖ、９Ｖ、１２Ｖのいずれかであると検出し、表１のように対応した電圧出力を２本の電圧ラインに通信電圧Ｖ１、Ｖ２として出力する。
【００３７】
【表１】
0005910791.tif 000002
【００３８】
ここで、入力部３１の通信回路がない、或いは、通信回路が故障している電子機器３０に対して、通信部１８は通信が成立しないので、電子機器３０の入力電圧値を最低電圧の５Ｖであると検出する。そして、通信部１８は、電圧ラインの通信電圧Ｖ１、Ｖ２から、表１のように通信電圧（Ｖ１＝高電圧、Ｖ２＝高電圧）を出力する。また、電子機器３０に設定された入力電圧値を、直流電源装置１０に通信（伝達）、検出する方法、通信部１８から制御回路１７に伝達する方法は、本実施例の方法に限らず、種々の方法が採用できる。
【００３９】
通信部１８は、２本の電圧ラインで制御回路１７、後述する残存電圧処理回路１９に接続されており、通信電圧Ｖ１、Ｖ２を出力する。
【００４０】
制御回路１７は、通信部１８からの通信電圧Ｖ１、Ｖ２を検出し、電子機器３０に設定された入力電圧値が５Ｖ、９Ｖ、１２Ｖのいずれかであることを識別し、整流回路１４からの直流電力の電圧が、識別した入力電圧値となるように、フィードバック回路１６を制御する。
【００４１】
以上の構成を備える本実施例の直流電源装置１０は、コネクタ２１に適合する端子を有していれば、入力電圧値が、５Ｖ、９Ｖ、１２Ｖのいずれに設定された種々の電子機器３０でも接続することが可能で、電子機器の入力電圧値に適した直流電力を供給することができる。
【００４２】
ここで、第一の入力電圧値（９Ｖ又は１２Ｖ）を出力している状態の直流電源装置１０より、プラス端子＋とマイナス端子ＧＮＤに接続された電子機器３０が取外されたとき、直流電源装置１０は、後述する平滑化するコンデンサーＣ１に残った電荷により、出力電圧が高いままである場合がある。もし第一の入力電圧値（９Ｖ又は１２Ｖ）を出力している状態の直流電源装置１０より、電子機器３０の接続が取外された直後に、入力電圧値が第二の入力電圧値（５Ｖ）に設定された他の電子機器３０が接続されたとき、コンデンサーＣ１の残存エネルギー（残存電荷）が第二の入力電圧値（５Ｖ）を超える電圧で、かつ、接続された他の電子機器３０に出力された場合、他の電子機器３０は過電圧の入力により電気的な損傷、破壊する恐れがある。
【００４３】
（残存電圧処理回路１９）
本実施例において、直流電源装置１０は、プラス端子＋とマイナス端子ＧＮＤの端子間と並列に接続された直流電力を平滑化するコンデンサーＣ１を有する残存電圧処理回路１９を備えている。そして、残存電圧処理回路１９は、通信部１８からの２本の電圧ラインに接続されて、通信電圧Ｖ１，Ｖ２を入力する。制御回路１７が通信部１８での通信結果に基づいて直流電源部１１からの出力電圧を低下させるとき、或いは、最低電圧とするとき、残存電圧処理回路１９はコンデンサーＣ１に蓄積された電荷を放電させる。
【００４４】
言い換えると、直流電源装置１０から第一の入力電圧値が設定された電子機器３０が取外され、第二の入力電圧値が設定された他の電子機器３０が接続されたとき、第一の入力電圧値から第二の入力電圧値を減算した減算値が正の値のとき、或いは、第一の入力電圧値又は第二の入力電圧値が最低電圧（５Ｖ）のとき、残存電圧処理回路１９はコンデンサーＣ１に蓄積された電荷を放電させる。逆に、第一の入力電圧値から第二の入力電圧値を減算した減算値が負の値のとき、残存電圧処理回路１９はコンデンサーＣ１に蓄積された電荷を放電させない。
【００４５】
図１に示すように、残存電圧処理回路１９は、プラス側ラインが直流電源装置１０の出力電圧Ｖｂｕｓであるプラス端子＋のラインに接続され、マイナス側ラインが直流電源装置１０のマイナス端子ＧＮＤのラインに接続されている。
【００４６】
次に、残存電圧処理回路１９の回路構成を図２に示す。残存電圧処理回路１９は、プラス端子＋とマイナス端子ＧＮＤの端子間と並列に、整流回路１４から出力される直流電力を平滑化する１０００〜２０００μＦのコンデンサーＣ１と抵抗Ｒ９（１ｋΩ）が接続され、コンデンサーＣ１から電荷を放電する５０〜２００Ωの抵抗Ｒ８（ブリーダ抵抗）を接続している。抵抗Ｒ９は直流電流の出力を安定させるため配置されているが、抵抗Ｒ８に比べ抵抗値を５倍以上に大きくしているので、抵抗Ｒ８のように急速に放電するはことない。つまり、抵抗Ｒ９は、ブリーダ抵抗としての役割を果たさない。また、抵抗Ｒ９を配置しない場合でも、抵抗Ｒ８はブリーダ抵抗として同様の効果を得ることができる。
【００４７】
通信部１８からの通信電圧Ｖ１は、比較器Ｕ１のブラス側に入力され、比較器Ｕ１の出力は逆方向に接続されたダイオードＤ１に接続されている。通信部１８からの通信電圧Ｖ２は、比較器Ｕ２のブラス側に入力され、比較器Ｕ２の出力は逆方向に接続されたダイオードＤ２に接続されている。ダイオードＤ１とダイオードＤ２は接続されて、比較器Ｕ３のマイナス側と抵抗Ｒ１（１００ｋΩ）を介して出力電圧Ｖｂｕｓのラインに接続されている。
【００４８】
このダイオードＤ１とダイオードＤ２の接続により、比較器Ｕ１、Ｕ２の両方の出力電圧が高電圧のときのみ、つまり、通信部１８からの通信電圧Ｖ１、Ｖ２共に高電圧のとき、比較器Ｕ３の入力が、基準電圧Ｖｒｅｆ（＝２．５Ｖ）からの基準電圧（抵抗Ｒ２（５ｋΩ）、Ｒ３（３ｋΩ）の分圧）より、小さくなり、比較器Ｕ３の出力が低電圧となる。比較器Ｕ３の出力線は、抵抗Ｒ４（１０ｋΩ）を介してＰＮＰ型のトランジスターＱ１のベースに接続されており、トランジスターＱ１はベースに低電圧が印加されるとオン状態となる。このトランジスターＱ１と、抵抗Ｒ５（３ｋΩ）と、Ｒ６（２．５ｋΩ）との直列接続ラインは、直流電源装置１０のプラス端子＋のラインと、直流電源装置１０のマイナス端子ＧＮＤのラインに接続されている。
【００４９】
よって、直流電源装置１０の出力電圧Ｖｂｕｓの分圧が、比較器Ｕ４のマイナス側に入力され、基準電圧Ｖｒｅｆ（＝２．５Ｖ）に比較され、出力電圧Ｖｂｕｓが６Ｖ以上で、比較器Ｕ４から低電圧が出力される。比較器Ｕ４の出力線は、抵抗Ｒ７（１ｋΩ）を介してＰＮＰ型のトランジスターＱ２のベースに接続されている。トランジスターＱ２は、抵抗Ｒ８と直列に接続された回路を形成し、その回路がコンデンサーＣ１に対して並列に接続されている。そして、トランジスターＱ２はベースに低電圧が印加されるとオン状態となり、コンデンサーＣ１に蓄積された電荷が、抵抗Ｒ８にて放電される。つまり、トランジスターＱ２は、２本の電圧ラインから入力した通信電圧Ｖ１、Ｖ２の組合せでオン又はオフになる。そして、トランジスターＱ２はオン／オフすることで、コンデンサーＣ１の電荷の放電をオン／オフするスイッチ部としての役割を果たす。
【００５０】
これにより、直流電源装置１０の出力電圧Ｖｂｕｓが６Ｖ未満になると、比較器Ｕ４のマイナス入力が、基準電圧Ｖｒｅｆより、小さくなるので、比較器Ｕ４の出力が高電圧となり、トランジスターＱ２がオフ状態となり、コンデンサーＣ１に蓄積された電荷の放電が停止される。
【００５１】
従って、第一の入力電圧値（９Ｖ又は１２Ｖ）に対応した電子機器３０の接続が取外された直後の直流電源装置１０は、コンデンサーＣ１に第一の入力電圧値（９Ｖ又は１２Ｖ）近傍の電圧を有している。そして、直ぐに、直流電源装置１０が第二の入力電圧値（５Ｖ）に対応した他の電子機器３０に接続したとき、通信部１８が入力電圧値が第二の入力電圧値（５Ｖ）であることを検出し、２本の電圧ラインに通信電圧Ｖ１、Ｖ２の両方が第二の入力電圧値（５Ｖ）に対応した電子機器３０に対応した高電圧を出力することにより、残存電圧処理回路１９にてコンデンサーＣ１に蓄積された電荷が放電される。この放電により、出力電圧Ｖｂｕｓが、低電圧となるので、第二の入力電圧値（５Ｖ）に対応した電子機器３０が、過電圧で損傷することはない。
【００５２】
また、電子機器３０の設定された入力電圧値が上昇したとき、例えば、第一の入力電圧値（５Ｖ又は９Ｖ）を出力している状態の直流電源装置１０より、電子機器３０の接続が取外された直後に、第二の入力電圧値（９Ｖ又は１２Ｖ）に対応した他の電子機器３０を接続したときは、表１のように、電圧ラインの通信電圧Ｖ１、Ｖ２のいずれかが、低電圧となる。そして、比較器Ｕ３のマイナス入力側が低電圧となって、比較器Ｕ３の出力が高電圧となり、トランジスターＱ１がオフとなり、比較器Ｕ４の出力が高電圧となることより、トランジスターＱ２がオフ状態となる。つまり、コンデンサーＣ１に蓄積された電荷は放電されずに、コンデンサーＣ１に蓄積されたままである。
【００５３】
なお、本実施の形態において、図１のように直流電源装置１０は、制御回路１７を直流電源部１１の内部に配置するとしたが、図３のように直流電源装置１０ｂは、制御回路１７と、制御回路を内部に有しない直流電源部１１ｂとを備えた構成としてもよい。
【００５４】
なお、本実施の形態において、直流電源装置１０は内蔵の二次電池を有していないが、直流電源装置１０が内蔵の二次電池と、直流電源部１１の直流電力を二次電池に充電する充電回路と、二次電池からの直流電力を電圧変換するＤＣ／ＤＣ変換回路を備える構成としてもよい。直流電源装置１０が内蔵の二次電池の出力電力を電子機器３０へ供給する場合、直流電源装置１０に設けられたＤＣ／ＤＣ変換回路は、内蔵の二次電池からの直流電力の電圧を、通信部から入力した電子機器に設定された入力電圧値に変換して電子機器へ出力する。
【００５５】
なお、本実施の形態において、直流電源装置１０と電子機器３０を電気ケーブル２０で接続して、出力電力、及び、電子機器３０の設定された入力電流値を入出力するとしたが、無接点で入出力するとしてもよい。その場合は、直流電源装置１０に出力電圧を送電する送電コイルと、電子機器３０に直流電源装置１０の出力電力を受電する受電コイルを配置し、通信部１８と入力部３１の通信を無線通信で行う。
【産業上の利用可能性】
【００５６】
本発明にかかる直流電源装置は、直流電力の電圧を変更可能にした場合に生じる問題を解決することが可能となるので、直流電力の電圧を電子機器に合わせて変更できる直流電源装置に等として有用である。
【符号の説明】
【００５７】
１０、１０ｂ  直流電源装置
１１、１１ｂ  直流電源部
１２          入力回路
１３          変換トランス
１４          整流回路
１５          スイッチング部
１６          フィードバック回路
１７          制御回路
１８          通信部
１９          残存電圧処理回路
＋            プラス端子
ＧＮＤ        マイナス端子
Ｃ１          コンデンサー
Ｒ１〜Ｒ９    抵抗
Ｕ１〜Ｕ４    比較器
Ｄ１、Ｄ２    ダイオード
Ｑ２、Ｑ１    トランジスター
Ｖｂｕｓ      出力電圧
Ｖｒｅｆ      基準電圧
Ｖ１、Ｖ２    通信電圧
２０          電気ケーブル
２１          コネクタ
＋            プラス入力端子
−            マイナス入力端子
Ｄ＋、Ｄ−    通信端子
３０          電子機器
３１          入力部
３２          二次電池
３３          ＤＣ／ＤＣ変換回路
３４          負荷
４０          ＡＣ電源
【図１】
0005910791.tif 000003
【図２】
0005910791.tif 000004
【図３】
0005910791.tif 000005